(57)【特許請求の範囲】
【請求項１】
画像情報に基づいて記録シートに画像を記録する画像記録部と、
前記画像記録部の上部に設けられ、該画像記録部で画像が記録された記録シートを排出収容する記録シート排出部と、
前記記録シート排出部の上部に設けられ、原稿を載置する原稿載置台と、
前記原稿載置台の下部で且つ前記記録シート排出部の上部に設けられ、該原稿載置台の画像読取範囲領域を走査して該原稿載置台上に載置された原稿の原稿画像を読み取る画像読取部と、
を有する画像読取記録装置において、
前記原稿載置台の下面と前記記録シート排出部の上面とに挟まれた空間は、画像読取記録装置の外部であり、
前記画像読取部は、装置内部の待機位置と装置外部との間を移動可能であり、原稿画像読取動作を行わない時は、前記原稿載置台の画像読取範囲領域外または前記記録シート排出部のシート載置領域外である前記待機位置に移動することを特徴とする画像読取記録装置。
【請求項２】
前記画像読取部の下部に、該画像読取部の前記装置外部における移動時に該画像読取部が記録シート排出部上に排出された記録シートに接触する際の摩擦抵抗を低減する摩擦抵抗低減部材を設けたことを特徴とする請求項１に記載の画像読取記録装置。
【請求項３】
前記画像読取部は前記原稿載置台の裏面側で且つ該原稿載置台の画像読取範囲領域外に設けられたガイド部材に沿って移動可能に設けられたことを特徴とする請求項１または請求項２に記載の画像読取記録装置。
【請求項４】
前記画像読取部は密着型イメージセンサと、該密着型イメージセンサを保持する保持手段と、該密着型イメージセンサを前記原稿載置台の裏面側に付勢する付勢手段とを有することを特徴とする請求項１〜３のいずれか１項に記載の画像読取記録装置。
【請求項５】
前記画像読取部は密着型イメージセンサと、該密着型イメージセンサを移動し得る移動手段と、前記密着型イメージセンサと画像読取記録装置本体とを接続する接続手段とを有することを特徴とする請求項１〜３のいずれか１項に記載の画像読取記録装置。
【請求項６】
前記原稿載置台は、前記画像読取部と独立して回動中心を中心に上方に回動するように構成したことを特徴とする請求項１に記載の画像読取記録装置。
【請求項７】
前記画像読取部による原稿画像読取動作時は前記原稿載置台の所定の位置からの上方への回動を規制し、前記画像読取部により原稿画像読取動作を行わない時は前記回動の規制を解除するように構成したことを特徴とする請求項６に記載の画像読取記録装置。
【請求項８】
前記原稿載置台を下方に押圧した際に該原稿載置台は所定の抵抗を持って下方に回動し、前記下方への押圧が解除された際に該原稿載置台を所定の位置に復帰させるダンパー手段を有することを特徴とする請求項６または請求項７に記載の画像読取記録装置。
【請求項９】
前記原稿載置台が所定の位置にあるか否かを検知する位置検知手段を有し、該位置検知手段による検知情報により前記原稿載置台が所定の位置にないことが検知された時、前記画像読取部の動作を停止させる制御部を有することを特徴とする請求項６〜８のいずれか１項に記載の画像読取記録装置。
【請求項１０】
前記原稿載置台を画像読取記録装置本体に対して略垂直に起立した状態まで回動させた状態で該原稿載置台の回動を規制する規制部材を有することを特徴とする請求項６〜９のいずれか１項に記載の画像読取記録装置。
【請求項１１】
前記記録シート排出部の上面に開閉可能なカバーを有し、前記原稿載置台を上方に回動させた状態で前記カバーが該原稿載置台と干渉することなく開放出来るように構成したことを特徴とする請求項６〜１０のいずれか１項に記載の画像読取記録装置。
【発明の詳細な説明】
【０００１】
【発明の属する技術分野】
本発明は、原稿上の画像情報を読み取る画像読取装置と、入力された画像情報を記録シートに記録する画像記録装置と、を備えたデジタル複写機やファクシミリ装置等の画像読取記録装置に関するものである。
【０００２】
【従来の技術】
従来のデジタル複写機やファクシミリ装置等の画像読取記録装置において特開平８−３４０４１４号に開示されたように画像記録部の上部に設けられた記録シート排出部に画像が記録された記録シートを排出積載するように構成し、且つその上部に原稿を静止した状態で該原稿の原稿画像を読取可能なブック読取装置を配置して装置の設置スペースを小さくするように構成したものが提案されている。
【０００３】
【発明が解決しようとする課題】
しかしながら、前述の従来例では、ブック読取装置の下部で画像記録部の上部に設けられた記録シート排出部に排出積載された記録シートを取り出すための空間を確保するため装置全体の高さが高くなってしまい装置を設置する際に高さ方向の自由度が制限されるという問題があった。
【０００４】
また、装置本体を操作する操作部を装置の前面側に設けた場合には装置本体の奥行き寸法が大きくなり、装置本体の奥行き寸法を小さくするために操作部を小型化した場合には該操作部に必要なスペースが確保出来ないという問題があった。
【０００５】
また、ブック読取装置の使用頻度が少なく、記録動作を主として使用するユーザにとっては単体の画像記録装置と比較して記録シート排出部に排出積載された記録シートを取り出すための空間が狭い分だけ作業性が悪くなるという問題がある。
【０００６】
本発明は前記課題を解決するものであり、その目的とするところは、操作部に必要なスペースを確保した状態で装置本体の奥行き寸法を小さくすることが出来、記録シート排出部に排出積載された記録シートを取り出すための広い空間を確保した状態で装置本体の高さ寸法を小さくして装置本体を設置する際の高さ方向の自由度を確保し得る画像読取装置を備えた画像読取記録装置を提供せんとするものである。
【０００７】
【課題を解決するための手段】
前記目的を達成するための本発明に係る画像読取記録装置の代表的な構成は、画像情報に基づいて記録シートに画像を記録する画像記録部と、前記画像記録部の上部に設けられ、該画像記録部で画像が記録された記録シートを排出収容する記録シート排出部と、前記記録シート排出部の上部に設けられ、原稿を載置する原稿載置台と、前記原稿載置台の下部で且つ前記記録シート排出部の上部に設けられ、該原稿載置台の画像読取範囲領域を走査して該原稿載置台上に載置された原稿の原稿画像を読み取る画像読取部と、を有する画像読取記録装置において、前記原稿載置台の下面と前記記録シート排出部の上面とに挟まれた空間は、画像読取記録装置の外部であり、前記画像読取部は、装置内部の待機位置と装置外部との間を移動可能であり、原稿画像読取動作を行わない時は、前記原稿載置台の画像読取範囲領域外または前記記録シート排出部のシート載置領域外である前記待機位置に移動することを特徴とする。
【００１１】
上記構成によれば、前記原稿載置台の下面と前記記録シート排出部の上面とに挟まれた空間は、画像読取記録装置の外部であり、前記画像読取部は、装置内部の待機位置と装置外部との間を移動可能であり、画像読取部により原稿画像読取動作を行わない時は画像読取部が原稿載置台の画像読取範囲領域外または前記記録シート排出部のシート載置領域外に移動して退避することことで、記録シート排出部に排出積載された記録シートを取り出すための広い空間を確保することが出来、これにより装置本体の高さ寸法を小さく構成することが出来るので装置本体を設置する際の高さ方向の自由度を確保することが出来る。
【００１２】
また、前記原稿載置台が前記画像読取部と独立して回動中心を中心に上方に回動するように構成した場合には、原稿載置台を回動させて記録シート排出部の上部から退避させることで、画像読取部による原稿画像読取の使用頻度が少なく、画像記録を主として使用するユーザであっても記録シート排出部に排出積載された記録シートを容易に取り出すことが出来、単体の画像記録装置と同程度の良好な作業性を確保することが出来る。
【００１３】
【発明の実施の形態】
図により本発明に係る画像読取装置を備えた画像読取記録装置の一例としてファクシミリ装置に適用した場合の一実施形態を具体的に説明する。図１及び図２は本発明に係る画像読取装置を備えた画像読取記録装置の第１実施形態の構成を示す斜視図、図３は本発明に係る画像読取装置を備えた画像読取記録装置の第１実施形態の構成を示す断面説明図、図４は原稿載置台及び画像読取部を図３の右方向から見た図、図５は制御系の構成を示すブロック図である。
【００１４】
図１〜図３において、画像読取記録装置本体１の上部には、該画像読取記録装置本体１の奥側上部（図１及び図２の紙面奥側）に設けられた回動中心となる図示しないヒンジ部を中心に上下方向に回動すると共に、紙や合成樹脂等で構成されるシート状原稿やブック原稿等からなる原稿Ｄの原稿面側に密着して該原稿Ｄを静止した状態で載置する透明な平板状の原稿台ガラス３２を有する原稿載置台２が設けられている。
【００１５】
前記原稿載置台２の下部には画像情報に基づいて紙や合成樹脂等で構成される記録シートＰに画像を記録する画像記録部４を有するレーザビームプリンタからなる画像記録装置本体３が設けられており、該画像記録装置本体３の上部には画像形成部４で画像が記録された記録シートＰを画像記録面が下方を向いた所謂フェイスダウンで排出して複数枚収容し得る記録シート排出部５が形成されている。
【００１６】
前記記録シート排出部５の上面に連続して該記録シート排出部５に対して回動軸１８ａを中心に回動可能なカートリッジカバー１８が設けられており、該カートリッジカバー１８を開放して記録カートリッジ１４を画像記録装置本体３の外部に取り出して交換出来るようになっている。
【００１７】
また、カートリッジカバー１８には図示しないインターロック機構が備えてあり、該カートリッジカバー１８が開いているか、或いは記録カートリッジ１４が画像記録装置本体３にセットされていない場合には該画像記録装置本体３が動作しないようになっている。
【００１８】
また、画像記録装置本体３の画像記録動作中に記録シートＰのジャムが発生した場合、カートリッジカバー１８を開け、必要に応じて記録カートリッジ１４を取り出すことによって画像記録装置本体３の内部に滞留している記録シートＰを除去することが出来るようになっている。
【００１９】
前記原稿載置台２の下部で且つ記録シート排出部５の上部には該原稿載置台２の画像読取範囲領域を図３の左右方向に走査して該原稿載置台２の原稿台ガラス３２上に載置された原稿Ｄの原稿画像を読み取る画像読取部７を有する画像読取装置本体６が設けられている。
【００２０】
８は画像読取装置本体６の上部に配置され、図５に示す表示部４０や入力キー等を有する操作部であり、９は原稿載置台２の画像読取範囲領域の上方に配置され、画像読取記録装置本体１の奥側上部に設けられた回動中心となる図示しないヒンジ部を中心に該画像読取記録装置本体１に対して上下方向に回動すると共に、原稿載置台２上に載置された原稿Ｄの背面に当接して該原稿Ｄの原稿面を原稿載置台２に押圧する原稿押圧部である。
【００２１】
図３に示すように、画像読取部７には画像読取センサとなる密着型イメージセンサ１０が設けられており、該密着型イメージセンサ１０は保持手段となる読取フレーム１１により保持されている。読取フレーム１１と密着型イメージセンサ１０との間には密着型イメージセンサ１０を原稿載置台２の原稿台ガラス３２の裏面側に付勢する付勢手段となる付勢バネ１２が設けられている。
【００２２】
１３は密着型イメージセンサ１０により読み取った原稿Ｄの画像情報、或いは相手先のファクシミリ装置から送られた画像情報、或いはパーソナルコンピュータ等の外部機器から送られた画像情報等に応じてレーザ光を出射するレーザスキャナユニットであり、画像記録装置本体３は制御部となるＣＰＵ（中央演算装置）４１から出力される画像信号に基づいて該レーザスキャナユニット１３のレーザダイオードを点滅させて出射されたレーザ光は画像記録部４に配置された記録カートリッジ１４の内部に設けられ、表面が一様に帯電された像担持体となる電子写真感光体ドラム１５に照射されて静電潜像を形成する。
【００２３】
感光体ドラム１５の表面に形成された静電潜像は現像ローラ１６によりトナーが供給されてトナー画像が形成されて可視像化される。
【００２４】
画像記録装置本体３の底部にはシートカセット１９に積載して収容した記録シートＰを１枚ずつ分離給送するカセット給送部１７が設けられている。本実施形態ではシートカセット１９内に積載収容出来る記録シートＰの最大収容枚数は約２５０枚であり、該シートカセット１９は画像記録装置本体３に対して前面方向（図１及び図２の左手前側方向）に引き出される所謂フロントローディング方式で構成されている。
【００２５】
図３に示すように、シートカセット１９の中板１９ａ上に積載して収容された記録シートＰは該中板１９ａが中板バネ１９ｂによって上方に付勢され、分離爪１９ｃにより記録シートＰの先端角部の上面及び先端が規制されている。
【００２６】
そして、シート給送手段となる横断面半円形状の給送ローラ２０が図３の反時計回り方向に回転すると、記録シートＰは分離爪１９ｃの作用により１枚ずつ分離給送された後、搬送ローラ対２１によりレジスト搬送部２２に設けられたレジストローラ対２３に搬送される。
【００２７】
レジスト搬送部２２では記録シートＰの先端が回転停止状態のレジストローラ対２３のニップ部に突き当たった状態で更に搬送ローラ対２１により所定量搬送されることで記録シートＰに所定の撓みループが形成され、該ループの反力により記録シートＰの先端辺がレジストローラ対２３のニップ部のニップ線に倣って平行になることで記録シートＰの斜行が矯正される。
【００２８】
その後、感光体ドラム１５の回転に同期して所定のタイミングでレジストローラ対２３が回転駆動され、記録シートＰがレジストローラ対２３に挟持搬送されて感光体ドラム１５と、該感光体ドラム１５に対向して配置された転写帯電器２４との間に搬送される。
【００２９】
この時、レジストローラ対２３により搬送される記録シートＰは図示しないシートセンサにより先端位置が検知され、感光体ドラム１５に形成されたトナー画像の先端と記録シートＰの先端が一致するように画像出力タイミングを合わせて搬送される。
【００３０】
感光体ドラム１５と転写帯電器２４との間に搬送された記録シートＰには転写帯電器２４の作用により感光体ドラム１５の表面上に形成されたトナー画像が記録シートＰの感光体ドラム１５側面に転写される。従って、シートカセット１９に積載された記録シートＰの下面側にトナー画像が形成される。
【００３１】
トナー画像が転写された記録シートＰはシート搬送部４８を通って定着装置２５に送られ、該定着装置２５により加熱、加圧処理されて記録シートＰ上のトナー画像が永久定着された後、排出ローラ対２６により記録シート排出口５ａから記録シート排出部５上に記録面が下向きの所謂フェイスダウンで排出される。
【００３２】
２７は各種の記録シートＰを給送し得るＭＰ（マルチペーパー）給送部であり、画像記録装置本体３の向かって右側（図３の右側）に設けられた右カバー２８を回動軸２８ａを中心に回動して開放し、該右カバー２８の上面を給送トレイとして使用して記録シートＰを載置し、給送ローラ２９と分離パッド３０との協働作用により記録シートＰを１枚ずつ分離給送してレジストローラ対２３に導き、前述と同様にして記録シートＰに画像を記録して記録シート排出部５上に排出する。
【００３３】
また、前記カセット給送部１７と略同様に構成され、該カセット給送部１７の下部に設けられた図示しない２段目のカセット給送部から給送された記録シートＰは２段目のカセット給送部に通じるシートパス３１を介して搬送ローラ対２１により挟持搬送されてレジストローラ対２３に導かれ、前述と同様にして記録シートＰに画像を記録して記録シート排出部５上に排出される。
【００３４】
原稿載置台２は原稿Ｄを載置する原稿台ガラス３２を保持する原稿台フレーム３３が画像読取記録装置本体１の奥側上部（図１及び図２の紙面奥側）に設けられた回動中心となる図示しないヒンジ部を中心に上下方向に回動可能に設けられており、該原稿台フレーム３３には原稿載置台２の裏面側で且つ原稿載置台２の画像読取範囲領域外に設けられ、画像読取部７を図３の左右方向に移動可能に支持するガイド部材となるガイド部３３ａが一体的に形成されている。
【００３５】
原稿載置台２の上部には原稿台ガラス３２上に載置された原稿Ｄの背面に当接して原稿Ｄの原稿面を原稿台ガラス３２に密着させるための原稿押圧部９が設けられており、該原稿押圧部９は下面に白色板３５ａを設けたスポンジ３５が圧板フレーム３４に保持されると共に、該圧板フレーム３４が画像読取記録装置本体１の奥側上部（図１及び図２の紙面奥側）に設けられた回動中心となる図示しないヒンジ部を中心に上下方向に回動可能に設けられている。
【００３６】
図４に示すように、画像読取部７は密着型イメージセンサ１０と該密着型イメージセンサ１０を保持する保持手段となる読取フレーム１１を有しており、該密着型イメージセンサ１０は規制部材３６によって図４の上下方向にのみ移動可能に規制され、付勢手段となる付勢バネ１２によって原稿台ガラス３２の裏面側に付勢されている。
【００３７】
密着型イメージセンサ１０には高さ規制部材１０ａが該密着型イメージセンサ１０の画像読取範囲領域外に取り付けられており、付勢バネ１２により密着型イメージセンサ１０が図４の上方向に常時付勢される状態で高さ規制部材１０ａが原稿台ガラス３２の裏面側に当接することで密着型イメージセンサ１０が原稿台ガラス３２に対して一定の距離を保って移動出来るようになっている。
【００３８】
また、読取フレーム１１には移動手段となる図示しないモータやギア列等からなる駆動部３７が組み込まれており、原稿Ｄ上の原稿画像を読み取る際にはドライブシャフト３７ａが回転することで原稿台ガラス３２の裏面側に当接したドライブローラ３７ｂが回転し、読取フレーム１１のガイド部１１ａが原稿台フレーム３３のガイド部３３ａに当接係合し、該ガイド部３３ａに沿って画像読取部７が図３の左右方向に移動するようになっている。
【００３９】
画像読取部７の移動中に該画像読取部７の移動が強制的に停止させられた場合にはドライブローラ３７ｂがスリップするか、若しくは駆動部３７に組み込まれた図示しないトルクリミッタ等の駆動力調整手段によって画像読取部７の駆動部３７に過負荷が生じないように構成されている。
【００４０】
密着型イメージセンサ１０は光源としてのＬＥＤ（発光ダイオード）アレイから原稿Ｄの原稿画像面に光を照射し、原稿画像面を反射した反射光をレンズによりセンサ基板上のセンサ素子に結像して画像情報を読み取るものである。
【００４１】
画像読取部７は密着型イメージセンサ１０と画像読取記録装置本体１とを接続する接続手段となるケーブル３８を通して電力や制御信号が供給され、画像データを出力するようになっている。尚、接続手段は有線式に限らず、無線式でも構わない。また、画像データは読取と同時に画像読取記録装置本体１に送らず、画像読取部７のメモリに一旦保存した後、所定のタイミングで転送しても構わない。
【００４２】
このため、画像読取部７は画像読取装置本体６から直接駆動を受ける必要がなく、図３に示すように、画像読取部７が原稿載置台２の画像読取範囲領域外に移動して退避した待機時に原稿載置台２の下面には駆動系部材や光学部品等が記録シート排出部５の上部の記録シートＰの載置領域に残らないように構成されている。
【００４３】
上記構成により、画像読取部７により原稿画像読取動作を行わない時は、使用されない画像読取部７が原稿載置台２の画像読取範囲領域外及び記録シート排出部５の上部の記録シートＰの載置領域外に移動して退避し、記録シート排出部５の上部空間を画像が記録された記録シートＰの取り出しや、画像記録部４における記録シートＰのジャム処理や、記録カートリッジ１４の取り出し操作のためのスペースとして有効に利用することが出来る。
【００４４】
密着型イメージセンサ１０からの画像データはセンサ素子からのアナログ出力をアナログ信号のまま出力しても良いし、センサ基板上や読取フレーム１１内に設けられた図示しない基板上でＡ／Ｄ（アナログ／デジタル）変換を行い、デジタル信号として出力しても良い。
【００４５】
また、読取フレーム１１内に設けられた図示しない基板上に画像メモリを搭載して原稿画像の読取走査中でなく画像読取部７が画像読取装置本体６の待機位置（図３の左側）に戻ってから転送するように構成しても良い。
【００４６】
読取フレーム１１の下部には画像読取部７の移動時に該画像読取部７が記録シート排出部５上に排出積載された記録シートＰに接触する際の摩擦抵抗を低減する摩擦抵抗低減部材となる回転自在に支持されたガイドコロ３９が設けられている。
【００４７】
そして、記録シート排出部５上に排出積載された記録シートＰがカールする等して画像読取部７の移動領域内に突出した場合、画像読取部７の移動に伴ってガイドコロ３９が突出した記録シートＰに当接回転することで該記録シートＰの突出を抑制して記録シートＰの積載状態の乱れを防止する。
【００４８】
また、他の摩擦抵抗低減部材としては、ガイドコロ３９の代わりに読取フレーム１１の下部にベルト状の部材を回転可能に設けたり、ＰＯＭ（ポリオキシメチレン）樹脂等の低摩擦材料を船底形状等に形成して配置することでも同様の効果を得ることが出来る。
【００４９】
次に図５を用いて画像読取記録装置本体１の制御系の構成について説明する。図５において、制御部となるＣＰＵ４１は画像読取記録装置本体１全体を制御するものであり、ＭＰＵ（マイクロプロセッサ）４１ａ、該ＭＰＵ４１ａの制御プログラム等を格納するＲＯＭ（リードオンリメモリ）４１ｂ、各種データ処理のワークエリアや画像情報の一時的記憶部として使用されるＲＡＭ（ランダムアクセスメモリ）４１ｃ、画像の変倍や解像度変換等を行う画像処理部４１ｄを有して構成されている。
【００５０】
また、ＣＰＵ４１には公知の構成からなるカレンダや時計機能等が備えられており、ＲＡＭ４１ｃの内、ワンタッチキー宛て先情報、ソフトウェアスイッチ情報等の重要なシステム設定情報を格納する領域はバッテリーバックアップによって停電等の不慮の障害から保護されている。
【００５１】
操作部８はテンキー８ａ、ファンクションキー８ｂ、ワンタッチキー８ｃ、スタートキー８ｄ、ストップキー８ｅ等の各種キースイッチ等を有しており、表示部４０は各種メッセージの表示を行うＬＣＤ（液晶表示部）４０ａ、送信モード等の表示を行う各種ＬＥＤ（発光ダイオード）４０ｂ、通信状態や障害発生を遠方のユーザに報知するタリーランプ４０ｃ等を有している。
【００５２】
画像読取部７は読取モータ等の駆動部３７、画像読取センサである密着型イメージセンサ１０、読み取った画像のシェーディングや２値化を行う画像処理部７ａ、原稿Ｄの検知等を行う各種センサ７ｂ等を有している。
【００５３】
画像記録部４は記録モータ等の駆動部４ａ、レーザスキャナユニット１３や記録カートリッジ１４による電子写真プロセスの制御等を行う記録ユニット４ｂ、記録する画像のスムージング等を行う画像処理部４ｃ、記録シートＰ等の検知を行う各種センサ４ｄ等を有している。
【００５４】
発呼、着呼、画像データの符号化等を行う通信制御部４２は通信モデム（ＭＯＤＥＭ）、ＮＣＵ（ネットワークコントロールユニット）等からなる接続部４２ａを持ち、該接続部４２ａには通信網４３、ハンドセット４４が接続される。
【００５５】
外部インターフェイス４５はＣＰＵ４１から直接データの送受信を行うインターフェイスであり、例えば、ＲＳ２３２Ｃ、ＳＣＳＩ、ＬＡＮ（例えばＥｔｈｅｒｎｅｔ）等のインターフェイス規格の接続方式により装置外部に設けられた外部コンピュータ４６のスキャナプリンタ等として使用することが出来る。ＨＤＤ４７は大容量の不揮発性メモリとして画像情報等の保存に使用される。
【００５６】
ＣＰＵ４１と操作部８、表示部４０、画像読取部７、画像記録部４、通信制御部４２、外部インターフェイス４５及びＨＤＤ４７はインターフェイスを介して結合される。
【００５７】
次に図２を用いて記録カートリッジ１４の交換について説明する。トナーがなくなる等して記録カートリッジ１４を交換する場合には、先ず、原稿載置台２と原稿押圧部９を解除する。原稿載置台２と原稿押圧部９はいずれも図示しないヒンジ部を中心として夫々回動可能になっており、いずれも図２に示すように、画像読取記録装置本体１に対して略垂直に起立した位置で規制部材となる固定部材５３によって回動が規制されて停止するようになっている。
【００５８】
カートリッジカバー１８は原稿載置台２を上方に回動させて図２に示すように、画像読取記録装置本体１に対して略垂直に起立した状態で該カートリッジカバー１８が原稿載置台２と干渉することなく開放出来るように構成されており、カートリッジカバー１８を開くことで記録カートリッジ１４の交換を行うことが出来る。
【００５９】
また、感光体ドラム１５から定着装置２５に至るシート搬送部４８で記録シートＰのジャムが発生した場合も前述と同様に原稿載置台２と原稿押圧部９を画像読取記録装置本体１に対して略垂直に起立させた状態でカートリッジカバー１８を開き、記録カートリッジ１４を取り出してジャム処理を行うことで画像読取記録装置本体１の上方から画像記録装置本体３内部を視認しながらジャム処理作業が出来るので作業性が良い。
【００６０】
原稿載置台２を画像読取記録装置本体１に対して閉じる際には画像記録装置本体３の前面側上面部に突出して設けられた原稿載置台支柱４９と、画像読取装置本体６の前面側側面部に突出して設けられた原稿載置台支持部５０に取り付けられ、原稿載置台２を下方に押圧した際に原稿載置台２は所定の抵抗を持って下方に回動し、該下方の押圧が解除された際に原稿載置台２を閉じた正規の所定位置に復帰させるダンパー手段となるダンパー部材４９ａ，５０ａによって原稿載置台２の下面を受けることで閉じた際の衝撃が吸収されるようになっている。
【００６１】
また、画像読取装置本体６には原稿載置台２の状態の検知とロックを行う原稿載置台ロックユニット５１が設けられており、該原稿載置台ロックユニット５１はロック爪５１ａが図示しないモータやソレノイド等で構成される駆動手段によって図１に示すように原稿載置台２の上面側に突出することで原稿載置台２の上方への回動を規制し、図２に示すようにロック爪５１ａが原稿載置台２の上面から退避するように引き込まれることでロックを解除し、この状態でユーザは原稿載置台２を上方へ回動して開けることが出来る。
【００６２】
本実施形態では制御部となるＣＰＵ４１からの指令により画像読取部７による原稿画像読取動作時には原稿載置台ロックユニット５１のロック爪５１ａが突出して原稿載置台２の閉じた位置からの上方への回動を規制し、画像読取部７により原稿画像読取動作を行わない時は原稿載置台ロックユニット５１のロック爪５１ａが引き込まれて原稿載置台２の上方への回動の規制を解除する。
【００６３】
また、原稿載置台ロックユニット５１に内蔵され、原稿載置台２が閉じた位置にあるか否かを検知する位置検知手段となる図５に示す原稿載置台位置検知センサ５２によって原稿載置台２が開いている場合や原稿載置台２をユーザが強く抑え過ぎてダンパー部材４９ａ，５０ａが作動して原稿載置台２が沈み込んだ場合にこれを検知し、該原稿載置台位置検知センサ５２の検知情報に基づいて制御部となるＣＰＵ４１からの指令により画像読取部７の動作を停止させる。
【００６４】
このように制御することで原稿載置台２の原稿台フレーム３３の下面に設けたガイド部３３ａに画像読取部７の読取フレーム１１のガイド部１１ａが確実に係合して該ガイド部３３ａに沿って画像読取部７が移動することが出来、画像読取部７が記録シート排出部５上に落下する等の事故が発生する虞がない。
【００６５】
原稿載置台２及び原稿押圧部９は画像読取記録装置本体１の奥側上面部で、且つ原稿載置台２よりも手前側に設けられた規制部材となる固定部材５３を回動させて図２に示すように起立させることで、原稿載置台２及び原稿押圧部９の下方への回動を規制し、該原稿載置台２及び原稿押圧部９を不用意に閉じることが出来ないようになっている。
【００６６】
このように、固定部材５３を起立させておくことで、原稿載置台２と原稿押圧部９を画像読取記録装置本体１に対して略垂直に起立させた状態で保持することが出来、画像読取記録装置本体１を画像記録優先状態で使用することが出来る。
【００６７】
この状態では、画像読取記録装置本体１があたかも画像読取装置本体６を装備していない単体の画像記録装置本体３と同様に該画像記録装置本体３の上方が完全に開放された状態で使用することが出来、記録シート排出部５上に排出積載された画像記録済みの記録シートＰの取り出し作業が容易である。
【００６８】
また、原稿載置台支柱４９を原稿載置台２の下面部側に取り付けるか、或いは折り畳めるように構成することで更に操作性を向上することが出来る。また、この状態で画像読取部７を取り外してハンドスキャナとして使用するように構成しても便利である。この時、ドライブローラ３７ｂの回転速度をロータリーエンコーダ等の検知手段により検知することで所望の画像を伸縮なく得ることが出来る。
【００６９】
次に図６及び図７を用いて本発明に係る画像読取装置を備えた画像読取記録装置の第２実施形態について説明する。図６は本発明に係る画像読取装置を備えた画像読取記録装置の第２実施形態の構成を示す斜視図、図７は本発明に係る画像読取装置を備えた画像読取記録装置の第２実施形態の構成を示す断面説明図である。尚、前記第１実施形態と同様に構成したものは同一の符号を付して説明を省略する。
【００７０】
前記第１実施形態では原稿載置台２上に１つの原稿押圧部９を設けた場合について説明したが、本実施形態では図６及び図７に示すように、原稿載置台２上に画像読取部７の移動方向（図７の左右方向）に２つに分割された原稿押圧部９ａ及び補助原稿押圧部９ｂを設け、更に原稿載置台２及び原稿押圧部９ａ、補助原稿押圧部９ｂが一体的に画像読取記録装置本体１に対して画像読取部７の移動方向（図７の左右方向）に移動可能に構成されている。
【００７１】
操作部８と画像読取部７との間には原稿載置台２の左側部及び補助原稿押圧部９ｂを収納する収納部６１が設けられており、通常は図７に示すように、小さい幅を有する補助原稿押圧部９ｂが操作部８の下方に設けられた収納部６１に収納されて原稿押圧部９ａのみが使用され、原稿Ｄのサイズが大きい場合等には図８に示すように原稿載置台２及び原稿押圧部９ａ、補助原稿押圧部９ｂを一体的に画像読取記録装置本体１に対して図７の右方向にスライドさせて原稿載置台２の左側部及び補助原稿押圧部９ｂを収納部６１から引き出し、原稿押圧部９ａ及び補助原稿押圧部９ｂの両方を使用する。
【００７２】
補助原稿押圧部９ｂは収納部６１の内部空間と略等しい大きさを有しており、原稿押圧部９ａ、補助原稿押圧部９ｂ及び原稿載置台２はスライド装置６２ｂに設けられた回動中心となる図示しないヒンジ部を中心に回動可能に構成されている。また、原稿押圧部９ａ及び補助原稿押圧部９ｂは原稿載置台２と独立して回動可能に構成されている。
【００７３】
原稿載置台２、原稿押圧部９ａ、補助原稿押圧部９ｂ及び原稿載置台支柱４９は画像記録装置本体３の上面部に設けられたスライド装置６２ａ，６２ｂによって画像読取記録装置本体１に対して図７の左右方向に一体的に移動可能になっている。
【００７４】
このように構成したことで、通常は補助原稿押圧部９ｂ及び原稿載置台２の左側部を収納部６１に収納した状態で原稿押圧部９ａの広さと同程度のサイズまでの原稿Ｄの読取動作を行うことが出来、補助原稿押圧部９ｂ及び原稿載置台２の左側部を収納部６１から引き出した状態で原稿押圧部９ａに補助原稿押圧部９ｂを加えた広さと同程度のサイズまでの原稿Ｄの読取動作を行うことが出来る。
【００７５】
尚、上記構成において補助原稿押圧部９ｂを省略しても良く、この場合、収納部６１の高さを低く抑えることが出来る。原稿Ｄの操作部８の下部に収納された部分については該原稿Ｄの背面に当接して該原稿Ｄの原稿面を原稿載置台２の原稿台ガラス３２上に押圧することは出来ないものの原稿押圧部９ａよりも大きな原稿Ｄの読取動作を行う場合に操作部８との距離が離れるので原稿Ｄのセットがし易いという利点がある。
【００７６】
尚、本実施形態では原稿押圧部９ａ、補助原稿押圧部９ｂ及び原稿載置台２を画像読取記録装置本体１に対して略垂直に起立した状態まで回動させた状態で該原稿押圧部９ａ、補助原稿押圧部９ｂ及び原稿載置台２の回動を規制する規制部材となる固定部材５３はスライド装置６２ｂに設けられている。他の構成は前記第１実施形態と同様に構成され、同様の効果を得ることが出来るものである。
【００７７】
次に図８〜図１０を用いて本発明に係る画像読取装置を備えた画像読取記録装置の第３実施形態について説明する。図８及び図９は本発明に係る画像読取装置を備えた画像読取記録装置の第３実施形態の構成を示す斜視図、図１０は本発明に係る画像読取装置を備えた画像読取記録装置の第３実施形態の構成を示す断面説明図である。尚、前記各実施形態と同様に構成したものは同一の符号を付して説明を省略する。
【００７８】
前記第２実施形態では原稿載置台２、原稿押圧部９ａ及び補助原稿押圧部９ｂをスライド装置６２ａ，６２ｂを介して画像読取記録装置本体１から引き出すことにより大きなサイズの原稿Ｄを読み取るように構成したが、本実施形態では、操作部８の下面側に補助原稿押圧部９ｂを設けたものである。
【００７９】
図１０に示すように、操作部８の基板７１を納めたケース７２の下部は位置決め部７２ａと原稿圧接部７２ｂを有している。原稿圧接部７２ｂの下面には補助白色板７３ａを下面に固着した補助スポンジ７３が取り付けられている。
【００８０】
通常の使用時は位置決め部７２ａに取り付けられた位置決め足７２ｃが画像読取装置本体６の上面部に当接することで操作部８の使用時に揺れ等が発生し難いようになっている。
【００８１】
上面側に操作部８を設けた補助原稿押圧部９ｂは画像読取記録装置本体１の奥側上部に設けられた回動中心となる図示しないヒンジ部を中心に上下方向に回動可能になっており、補助原稿押圧部９ｂを上方に回動させると、図示しない連結部により原稿押圧部９ａも連動して上方に回動するようになっている。また、原稿押圧部９ａは単独で上方に回動出来るようにもなっている。
【００８２】
比較的大きなサイズの原稿Ｄを読み取る場合は上面側に操作部８を設けた補助原稿押圧部９ｂと原稿押圧部９ａの両方を上方に回動させて使用する。
【００８３】
操作部８の画像読取記録装置本体１の前面部には画像読取装置本体６の動作開始の指示を入力する動作指示入力手段となる補助スタートキー７４が設けられており、操作部８及び補助原稿押圧部９ｂを上方に回動させた状態でも操作し易いようになっている。この補助スタートキー７４は操作部８が上方へ回動していない正規の閉じた位置にある場合には無効になり、操作部８上の正規のスタートキー８ｄにより画像読取装置本体６の動作開始の指示を入力するようになっている。
【００８４】
他の構成は前記各実施形態と同様に構成され、同様の効果を得ることが出来るものである。
【００８５】
尚、前記各実施形態では、画像読取記録装置としてファクシミリ装置に適用した場合について説明したが、デジタル複写機に適用することも出来る。また、記録シートＰに対する画像の記録方式はＬＥＤ（発光ダイオード）方式等の他の電子写真方式でも良いし、その他の記録方式でも良い。
【００８６】
【発明の効果】
以上のように本発明では、原稿載置台の下面と記録シート排出部の上面とに挟まれた空間は、画像読取記録装置の外部であり、画像読取部は、装置内部の待機位置と装置外部との間を移動可能であり、画像読取部により原稿画像読取動作を行わない時は画像読取部が原稿載置台の画像読取範囲領域外または記録シート排出部のシート載置領域外に移動して退避するよう構成した。これにより、記録シート排出部に排出積載された記録シートを取り出すための広い空間を確保することが出来、装置本体の高さ寸法を小さく構成することが出来るので装置本体を設置する際の高さ方向の自由度を確保することが出来る。
【００９０】
また、原稿載置台が画像読取部と独立して回動中心を中心に上方に回動するように構成した場合には、原稿載置台を回動させて記録シート排出部の上部から退避させることで、画像読取部による原稿画像読取の使用頻度が少なく、画像記録を主として使用するユーザであっても記録シート排出部に排出積載された記録シートを容易に取り出すことが出来、単体の画像記録装置と同程度の良好な作業性を確保することが出来る。
【図面の簡単な説明】
【図１】本発明に係る画像読取装置を備えた画像読取記録装置の第１実施形態の構成を示す斜視図である。
【図２】本発明に係る画像読取装置を備えた画像読取記録装置の第１実施形態の構成を示す斜視図である。
【図３】本発明に係る画像読取装置を備えた画像読取記録装置の第１実施形態の構成を示す断面説明図である。
【図４】原稿載置台及び画像読取部を図３の右方向から見た図である。
【図５】制御系の構成を示すブロック図である。
【図６】本発明に係る画像読取装置を備えた画像読取記録装置の第２実施形態の構成を示す斜視図である。
【図７】本発明に係る画像読取装置を備えた画像読取記録装置の第２実施形態の構成を示す断面説明図である。
【図８】本発明に係る画像読取装置を備えた画像読取記録装置の第３実施形態の構成を示す斜視図である。
【図９】本発明に係る画像読取装置を備えた画像読取記録装置の第３実施形態の構成を示す斜視図である。
【図１０】本発明に係る画像読取装置を備えた画像読取記録装置の第３実施形態の構成を示す断面説明図である。
【符号の説明】
１…画像読取記録装置本体、２…原稿載置台、３…画像記録装置本体、４…画像記録部、４ａ…駆動部、４ｂ…記録ユニット、４ｃ…画像処理部、４ｄ…センサ、５…記録シート排出部、５ａ…記録シート排出口、６…画像読取装置本体、７…画像読取部、７ａ…画像処理部、７ｂ…センサ、８…操作部、８ａ…テンキー、８ｂ…ファンクションキー、８ｃ…ワンタッチキー、８ｄ…スタートキー、８ｅ…ストップキー、９，９ａ…原稿押圧部、９ｂ…補助原稿押圧部、１０…密着型イメージセンサ、１０ａ…高さ規制部材、１１…読取フレーム、１１ａ…ガイド部、１２…付勢バネ、１３…レーザスキャナユニット、１４…記録カートリッジ、１５…感光体ドラム、１６…現像ローラ、１７…カセット給送部、１８…カートリッジカバー、１８ａ…回動軸、１９…シートカセット、１９ａ…中板、１９ｂ…中板バネ、１９ｃ…分離爪、２０…給送ローラ、２１…搬送ローラ対、２２…レジスト搬送部、２３…レジストローラ対、２４…転写帯電器、２５…定着装置、２６…排出ローラ対、２７…ＭＰ給送部、２８…右カバー、２８ａ…回動軸、２９…給送ローラ、３０…分離パッド、３１…シートパス、３２…原稿台ガラス、３３…原稿台フレーム、３３ａ…ガイド部、３４…圧板フレーム、３５…スポンジ、３５ａ…白色板、３６…規制部材、３７…駆動部、３７ａ…ドライブシャフト、３７ｂ…ドライブローラ、３８…ケーブル、３９…ガイドコロ、４０…表示部、４０ａ…ＬＣＤ、４０ｂ…ＬＥＤ、４０ｃ…タリーランプ、４１…ＣＰＵ、４１ａ…ＭＰＵ、４１ｂ…ＲＯＭ、４１ｃ…ＲＡＭ、４１ｄ…画像処理部、４２…通信制御部、４２ａ…接続部、４３…通信網、４４…ハンドセット、４５…外部インターフェイス、４６…外部コンピュータ、４７…ＨＤＤ、４８…シート搬送部、４９…原稿載置台支柱、４９ａ…ダンパ部材、５０…原稿載置台支持部、５０ａ…ダンパ部材、５１…原稿載置台ロックユニット、５１ａ…ロック爪、５２…原稿載置台位置検知センサ、５３…固定部材、６１…収納部、６２ａ，６２ｂ…スライド装置、７１…基板、７２ａ…位置決め部、７２ｂ…原稿圧接部、７２ｃ…位置決め足、７３…補助スポンジ、７３ａ…補助白色板、７４…補助スタートキー、Ｄ…原稿、Ｐ…記録シート
【図１】
0003631032.tif 000002
【図２】
0003631032.tif 000003
【図３】
0003631032.tif 000004
【図４】
0003631032.tif 000005
【図５】
0003631032.tif 000006
【図６】
0003631032.tif 000007
【図７】
0003631032.tif 000008
【図８】
0003631032.tif 000009
【図９】
0003631032.tif 000010
【図１０】
0003631032.tif 000011